(57)【要約】【課題】  厚さ方向の設計上の制限を解消できる、動吸振器およびそれを用いた光ディスク装置を提供する。【解決手段】  動吸振器は、偏重心ディスク（図示せず）を回転駆動するスピンドルモータ１３を保持するベースシャシ１１と、ベースシャシ１１に対して、第１弾性体１５ａ、１５ｂを介して接続された動吸振子１４ａと、第１弾性体１５ｃ〜１５ｅを介して接続された動吸振子１４ｂとを含み、ベースシャシ１１と動吸振子１４ａ、１４ｂとは、略同一平面上に設けられる。【選択図】      図１
2006046593.tif 000002
【特許請求の範囲】
【請求項１】
回転体を保持するベースシャシと、
前記ベースシャシに、第１弾性体を介して接続された動吸振子とを含み、
前記ベースシャシと前記動吸振子とは、略同一平面上に設けられる、動吸振器。
【請求項２】
請求項１に記載の動吸振器を搭載した光ディスク装置。
【請求項３】
前記ベースシャシは、第２弾性体を介して、筐体に支持される、請求項２に記載の光ディスク装置。
【請求項４】
前記動吸振子は、ピックアップの移動する第１の方向に配列された第１動吸振子と、前記第１動吸振子に対して直交する方向に配列された第２動吸振子とを含む、請求項２または３に記載の光ディスク装置。
【請求項５】
回転体を保持する平面状のベースシャシを含み、
前記ベースシャシは、開口部を有し、
前記開口部に、第１弾性体を介して設けられた平面上の動吸振子とを含む、光ディスク装置。
【請求項６】
前記ベースシャシは多角形状である、請求項２から５のいずれかに記載の光ディスク装置。
【発明の詳細な説明】
【技術分野】
【０００１】
この発明は動吸振器およびそれを用いた光ディスク装置に関し、特に、フラットな動吸振器およびそれを用いた光ディスク装置に関する。
【背景技術】
【０００２】
従来の光ディスク用の動吸振器が、たとえば下記の特許文献１や特許文献２に開示されている。図５は特許文献１および２に開示された光ディスク装置の要部の構成を単純化した模式図である。
【０００３】
図５を参照して、従来の光ディスク装置においては、ディスクを回転駆動させるスピンドルモータやディスクの情報を読取るピックアップ等はベースシャシ５２に取付けられ、ベースシャシ５２は弾性体５３ａ、５３ｂを介して筐体５１に取付けられている。
【０００４】
最近ディスクの回転数が上昇し、それに伴う振動を回避するために、動吸振器が設けられるようになってきた。この場合、スピンドルモータによって回転駆動する偏重心ディスク（図示せず）による振動を減衰するための動吸振子５５は弾性体５４ａ、５４ｂを介してベースシャシ５２に取付けられている。
【特許文献１】特開２００１−２５６７６２号公報（段落番号０００８、図１および図２）
【特許文献２】特開２００１−３５５６７０号公報（段落番号００１６、００１７および図３）
【発明の開示】
【発明が解決しようとする課題】
【０００５】
従来の動吸振器およびそれを用いた光ディスク装置は上記のように構成されていた。図５に示すように、動吸振子５５は、弾性体５４ａ、５４ｂを介してベースシャシ５２の上面または下面に取付けられるため、その構造上ディスクとのクリアランスや、筐体とのクリアランスを確保するために、ユニット設計上の制限が課されていた。また、所定の厚みが必要であるため、これまで、薄型タイプの機種や、ノートパソコン用の薄型ドライブには動吸振器を使用することができなかった。
【０００６】
この発明は上記のような問題点を解消するためになされたもので、厚さ方向の設計上の制限を解消できる、動吸振器およびそれを用いた光ディスク装置を提供することを目的とする。
【課題を解決するための手段】
【０００７】
この発明にかかる動吸振器は、回転体を保持するベースシャシと、ベースシャシに、第１弾性体を介して接続された動吸振子とを含み、ベースシャシと動吸振子とは、略同一平面上に設けられる。
【０００８】
ベースシャシと動吸振子とは、略同一平面上に設けられるため、従来のように、動吸振子がベースシャシから突出しない。
【０００９】
その結果、厚さ方向の設計上の制限を解消できる、動吸振器を提供できる。
【００１０】
上記動吸振器は、光ディスク装置に搭載するのが好ましい。そうすれば、厚さ方向の設計上の制限を解消できる、光ディスク装置が提供できる。
【００１１】
好ましくは、ベースシャシは、第２弾性体を介して、筐体に支持される。
【００１２】
さらに好ましくは、動吸振子は、ピックアップの移動する第１の方向に配列された第１動吸振子と、第１動吸振子に対して直交する方向に配列された第２動吸振子とを含む。
【００１３】
この発明の他の構成においては、動吸振器は、回転体を保持する平面状のベースシャシを含み、ベースシャシは、開口部を有し、開口部に、第１弾性体を介して設けられた平面上の動吸振子とを含む。
【００１４】
平面状のベースシャシの開口部に、第１弾性体を介して平面上の動吸振子が設けられるため、ベースシャシと動吸振子とは、略同一平面上に設けられる。
【００１５】
その結果、厚さ方向の設計上の制限を解消できる、動吸振器を提供できる。
【００１６】
なお、ベースシャシは多角形状であってもよい。
【発明を実施するための最良の形態】
【００１７】
以下、この発明の実施の形態を図面を参照して説明する。図１はこの発明の一実施の形態にかかる、動吸振器およびそれを用いた光ディスク装置を示す平面図であり、図２は、図１において、ＩＩ-ＩＩで示す部分の断面図である。なお、図２においては、動吸振子については、ハッチングを入れていない。また、この実施の形態は、ハーフハイトの光ディスク装置にこの発明による動吸振器を適用している。なお、ここでいう光ディスク装置とは、ＣＤ、ＣＤ-ＲＯＭ、ＤＶＤ、ＤＶＤ-ＲＯＭ等の光ディスク、光磁気ディスク、大容量ＦＤ等の光メディアディスクを駆動する装置をいう。
【００１８】
図１および２を参照して、光ディスク装置１０は、矩形の平面状のベースシャシ１１と、べースシャシ１１の４隅に設けられた第２弾性体１２ａ〜１２ｄとを含み、この第２弾性体１２ａ〜１２ｄを介して、ベースシャシ１１が筐体３０に取付けられている。ピックアップ１０ａは、図中Ｘ方向（第１の方向）に移動しながら、データの読み書きを行なう。
【００１９】
偏重心ディスク（図示せず）はベースシャシ１１に取付けたスピンドルモータ１３に載置されて、スピンドルモータ１３により回転駆動される。ここで、偏重心ディスクとは、ディスクの製造時に発生するそり、およびエンドユーザの使用（ディスクへのシールの貼付やディスク面への印刷等）により、重心が偏ったディスクをいう。
【００２０】
ベースシャシ１１には、第２弾性体１２ｂと１２ｃとの間、および第２弾性体１２ｃと１２ｄとの間に、開口部１７および１８が設けられている。開口部１７には、その両端を第１弾性体１５ａおよび１５ｂに支持された状態で動吸振子１４ａが設けられ、開口部１８には、その両端および側面を第１弾性体１５ｃ〜１５ｅに支持された状態で動吸振子１４ｂが設けられている。動吸振子１４ａおよび第１弾性体１５ａ、１５ｂは図中Ｙ方向に配置され、動吸振子１４ｂおよび第１弾性体１５ｃ〜１５ｅは図中Ｘ方向に配置され、それによって、図中Ｘ方向およびＹ方向の振動が吸収される。
【００２１】
図に示すように、動吸振子１４ａ、１４ｂ、第１弾性体１５ａ〜１５ｅは、ベースシャシ１１とほぼ同一平面状に配置されているため、薄型の動吸振器が実現できる。
【００２２】
次に、この発明の他の実施の形態について説明する。図３は光ディスク装置１０の他の実施の形態を示す模式図である。この実施の形態は、ノートパソコン用の薄型の光ディスク装置にこの発明による動吸振器を適用したものである。
【００２３】
図３を参照して、この実施の形態にかかる動吸振器を用いた光ディスク装置２０においては、ベースシャシ２１は８角形状であり、３箇所に設けられた第２弾性体２２ａ〜２２ｃを介して図示のない筐体に支持されている。ピックアップ２０ａは、図中Ｘ方向（第１の方向）に移動しながらデータの読み書きを行なう。
【００２４】
ベースシャシ２１にはスピンドルモータ２３が取付けられ、このスピンドルモータ２３に偏重心ディスク（図示せず）が載置されて、スピンドルモータ２３により回転駆動される。ベースシャシ２１には、２箇所の開口部２７、２８が設けられる。開口部２７には、図中Ｘ方向に、第１弾性体２５ａ、２５ｂを介して動吸振子２４ａが設けられ、開口部２８には、図中Ｘ方向に直交するＹ方向に、第１弾性体２５ｃ、２５ｄを介して動吸振子２４ｂが設けられる。
【００２５】
この実施の形態においても、ベースシャシ２１、動吸振子２４ａ、２４ｂおよび第１弾性体２５ａ〜２５ｄは、ほぼ同一平面上に配置されるため、薄型の光ディスク構造が実現される。
【００２６】
上記実施の形態においては、開口部１７、１８、２７、２８をベースシャシ１１、２１の内部に切り欠きとして形成した場合について説明したが、これに限らず、ベースシャシを構成する各辺の外部に突出部を設け、これを用いて開口部を設けてもよい。
【００２７】
この場合の実施の形態を図４（Ａ）に示す。図４（Ａ）は、ベースシャシ３１の２辺に突出部３２ａ〜３２ｄを設け、突出部３２ａと３２ｂとの間に、第１弾性体３５ａ、３５ｂを介して動吸振子３４ａを設け、突出部３２ｃと３２ｄとの間に、第１弾性体３５ｃ、３５ｄを介して動吸振子３４ｂを設けた状態を示す図である。この場合も、先の実施の形態と同様の構成であるので、同様の効果を奏する。
【００２８】
次に、この発明のさらに他の実施の形態を説明する。図４（Ｂ）は、この発明のさらに他の実施の形態における、矩形の平面状のベースシャシ４１の１つの辺の近傍を示す図であり、図４（Ｃ）は、図４（Ｂ）において、Ｃ−Ｃで示す部分の断面図である。
【００２９】
図４（Ｂ）および（Ｃ）を参照して、この実施の形態においては、ベースシャシ４１は所定の厚さを有し、その一部に凹部４２が設けられ、その凹部４２に第１弾性体４５ａ、４５ｂを介して動吸振子４４ａが平面状に設けられている。
【００３０】
図４（Ｄ）は、図４（Ｂ）において同じくＣ−Ｃで示す部分の断面図の他の例である。ここでは、ベースシャシ４１にプレスによって段差部４３が設けられ、この段差部４３に、第１弾性体４５ａ、４５ｂを介して動吸振子４４ａが平面状に設けられている。
【００３１】
図４（Ｂ）〜（Ｄ）に示す実施の形態においても、先の実施の形態と同様の構成であるので、同様の効果を奏する。
【００３２】
なお、図４（Ｂ）〜（Ｄ）においては、ベースシャシ４１の１つの辺しか示していないが、この動吸振子の配置される方向も、先の実施の形態において説明したように、ピックアップの移動するＸ方向、または、それに直交するＹ方向であるのが好ましい。
【００３３】
また、上記実施の形態においては、対を構成する動吸振子のそれぞれが、切り欠き部、突出部、または、凹部に設けられる例について説明したが、これに限らず、各形態を組み合わせてもよい。
【００３４】
上記実施の形態においては、それぞれ直交するように設けられた一対の動吸振子をベースシャシ上に設ける例について説明したが、これに限らず、動吸振子を１つだけ設けてもよいし、任意の数設けてもよい。なお、複数対設ける場合は、それぞれの対は、ピックアップの移動方向およびそれに直交する方向に設けられるのが好ましい。
【００３５】
なお、第１弾性体１５ａ〜１５ｅ、２５ａ〜２５ｄ等としては、「熱硬化性弾性体（ゴム）」を用いてもよいし「熱可塑性弾性体（熱可塑性エラストマー）」を用いてもよい。具体的には、「熱硬化性弾性体（ゴム）」としては、天然ゴム、ブタジェンゴム、スチレンブタジェンゴム、アクリロニトリルブタジェンゴム、イソプレンゴム、クロロプレンゴム、ブチルゴム、ハロゲン化ブチルゴム、エチレンプロピレンゴム、クロロスルホン化ポリエチレン、塩素化ポリエチレン、アクリルゴム、フッ素ゴム、ウレタンゴム、シリコーンゴム等がある。
【００３６】
「熱可塑性弾性体（熱可塑性エラストマー）」としては、スチレン系熱可塑性エラストマーを始め、オレフィン系、ポリエステル系、ポリウレタン系、塩化ビニル系、ポリアミド系等の熱可塑性エラストマーが使用できる。
【００３７】
第１弾性体としては、他に、コイルバネ（圧縮コイルバネ、引張コイルバネ等）、あるいは、ゴムとバネの複合体であってもよい。バネ材料としては、ピアノ線、硬鋼線、バネ用ステンレス鋼線、バネ用炭素鋼オイルテンパー線、弁バネ用炭素鋼オイルテンパー線、弁バネ用Ｃｒ-Ｖ鋼オイルテンパー線、弁バネ用Ｃｉ-Ｃｒ鋼オイルテンパー線がある。
【００３８】
上記実施の形態では、筐体の上にベースシャシが設けられた例について説明したが、これに限らず、筐体と動吸振子が設けられるベースシャシとは任意の位置関係にあってもよい。
【００３９】
上記実施の形態の形態においては、ベースシャシ、動吸振子および第１弾性体はほぼ同一平面上に配置されると説明したが、これは、４ｍｍ程度ずれていてもよい。
【００４０】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。その一例を以下に示す。
【産業上の利用可能性】
【００４１】
動吸振子をベースシャシとほぼ同一平面状に設けたため、厚みによる設計上の制限を排除できる動吸振器として光ディスク装置等において、有利に利用されうる。
【図面の簡単な説明】
【００４２】
【図１】この発明の第１実施の形態にかかる動吸振器を用いた光ディスク装置の要部を示す平面図である。
【図２】図１においてＩＩ-ＩＩで示す部分の断面図である。
【図３】この発明の第２実施の形態にかかる動吸振器を用いた光ディスク装置の要部を示す平面図である。
【図４】この発明の他の実施の形態にかかる動吸振器を用いた光ディスク装置の要部を示す図である。
【図５】従来の動吸振器を有する光ディスク装置の要部を示す断面図である。
【符号の説明】
【００４３】
１０、２０  光ディスク装置、１１、２１、３１、４１  ベースシャシ、１２、２２  第２弾性体、１３、２３  スピンドルモータ、１４、２４、３４、４４  動吸振子、１５、２５、３５、４５  第１弾性体。
【図１】
2006046593.tif 000003
【図２】
2006046593.tif 000004
【図３】
2006046593.tif 000005
【図４】
2006046593.tif 000006
【図５】
2006046593.tif 000007